(57)【要約】【課題】洗浄槽からの泡の逆流を抑制できるとともに、洗浄槽内に蓄えられた熱を利用して温められた空気をスムーズに洗浄槽内に供給できる乾燥装置を備え、高い乾燥効率と省エネルギー性を有する食器洗い機を提供することを目的とする。【解決手段】本体１内に設けられた洗浄槽２内に収容された被洗浄物６を洗浄する第１の回転洗浄ノズル１４等の洗浄装置と、洗浄槽２内に収容された被洗浄物６を乾燥させる乾燥装置３０とを備え、乾燥装置３０は、乾燥用空気を加熱するヒータ３４と、乾燥用空気を洗浄槽内２に送り込むファン３１と、ヒータ３４やファン３１を駆動する駆動回路部と、乾燥用空気吹出口２ｃにおいて洗浄槽２内と連通する送風配管３２とを有し、送風配管３２内に、洗浄槽２からの泡の侵入を抑制するダンパー３５を設けたことにより、上記課題を解決することができる。【選択図】図１４
2019080603.tif 000002
【特許請求の範囲】
【請求項１】
本体と、
前記本体内に設けられ被洗浄物を収容する洗浄槽と、
前記被洗浄物を洗浄する洗浄装置と、
前記被洗浄物を乾燥させる乾燥装置とを備え、
前記乾燥装置は、乾燥用空気を加熱する空気加熱ヒータと、乾燥用空気を前記洗浄槽内に送り込む送風ファンと、前記空気加熱ヒータや前記送風ファンを駆動する駆動回路部と、乾燥用空気吹出口において前記洗浄槽内と連通する送風配管とを有し、
前記送風配管内に、前記洗浄槽からの泡の侵入を抑制するダンパーを設けた、
食器洗い機。
【請求項２】
前記送風配管を略上下方向に配設して乾燥用空気の流れが上から下へ向かうように構成し、前記乾燥用空気吹出口を前記洗浄槽の下部に設け、前記ダンパーを前記乾燥用空気吹出口の近傍に配設した、
請求項１に記載の食器洗い機。
【請求項３】
前記ダンパーは、前記送風配管の内部を開閉自在に構成され、常時は閉成されており、前記送風ファンの駆動によって発生する乾燥用空気の流れによって開放され、前記送風ファンの駆動停止によって閉成される、
請求項１または２に記載の食器洗い機。
【請求項４】
前記送風配管内に、常時は前記ダンパーの閉成を維持し、前記ダンパーの開放時には開放方向を規制する規制部材を設けた、
請求項１〜３のいずれか１項に記載の食器洗い機。
【請求項５】
前記ダンパーは、上方に設けられた回動支軸まわりに回動可能に懸下され、前記規制部材は、前記送風配管の壁面から横方向内方へ突出させたリブで構成された、
請求項４に記載の食器洗い機。
【請求項６】
前記空気加熱ヒータは、前記送風配管内の前記ダンパーの上方近傍に設けられた、
請求項１〜５のいずれか１項に記載の食器洗い機。
【請求項７】
前記洗浄槽内に収容された被洗浄物を洗浄する洗浄水を加熱する洗浄水加熱ヒータを備え、前記洗浄水加熱ヒータは、前記洗浄槽の外部に設けられた、
請求項１〜６のいずれか１項に記載の食器洗い機。
【発明の詳細な説明】
【技術分野】
【０００１】
本発明は、洗浄槽内に収納された食器等の被洗浄物を洗浄する食器洗い機に関するもので、特に、被洗浄物を乾燥させる乾燥装置に関するものである。
【背景技術】
【０００２】
従来の食器洗い機として、洗浄工程およびすすぎ工程において洗浄槽内に蓄えられた熱を、乾燥工程において、洗浄槽内に供給される乾燥用空気に利用し、乾燥効率を向上させるとともに消費電力の低減を図った食器洗い機が提案されている（例えば、特許文献１参照）。
【０００３】
図２０は、特許文献１に記載された第２実施形態に係る食器洗い乾燥機の概念図である。図２０に示されるように、乾燥工程において本体１０１の外部から取り込まれ、洗浄槽１０２内に供給される乾燥用空気が通過する吸気経路１０３は、洗浄槽１０２の背面外壁および底面外壁に固着されている。吸気経路１０３の吸気口１０４は、洗浄槽１０２の上端部近傍に設けられている。吸気経路１０３は、吸気口１０４から洗浄槽１０２の下端部近くまで垂直に設けられ、送風ファン１０５に達する。吸気経路１０３は、さらに逆Ｕ字状に形成された送風ダクト１０６を経て、洗浄槽１０２の底面外壁に沿って伸び、洗浄槽１０２の底部に設けられた送風口１０７に接続されている。
【０００４】
吸気経路１０３の吸気口１０４が洗浄槽１０２の上端部近傍に設けられていることにより、本体１０１の外部から取り込まれた空気は、吸気経路１０３の吸気口１０４に達するまでに洗浄槽１０２の周囲側面の外壁に触れて温められる。さらに、吸気経路１０３は、洗浄槽１０２の上端部近傍に設けられた吸気口１０４から洗浄槽１０２の底部に設けられた送風口１０７に到るまで長く形成され、洗浄槽１０２の背面外壁および底面外壁に固着されている。これにより、乾燥用空気は、吸気経路１０３内を通過する間に洗浄工程およびすすぎ工程において洗浄槽１０２内に蓄えられた熱を吸収して温められる。
【０００５】
食器洗い乾燥機は、洗浄工程において、洗剤が含まれた洗浄水が洗浄槽１０２内で循環噴射され、洗浄槽１０２の底部に落下するため、泡が発生し、発生した泡が洗浄槽１０２の底部に設けられた送風口１０７から吸気経路１０３に逆流してくる場合がある。この泡が送風ファン１０５に達して送風ファン１０５を損傷することを防止するため、吸気経路１０３に逆Ｕ字状に形成された送風ダクト１０６が設けられている。
【先行技術文献】
【特許文献】
【０００６】
【特許文献１】特開２００５−２４５７５３号公報
【発明の概要】
【発明が解決しようとする課題】
【０００７】
しかしながら、上記特許文献１に開示された従来の食器洗い機の構成では、使用者が洗剤の種類を間違って使用したり、誤って大量の洗剤を投入した場合、泡が大量に発生し、逆Ｕ字状に形成された送風ダクト１０６を乗り越えて侵入し、送風ファン１０５を損傷するというおそれがあった。また、同様に泡逆流のおそれにより、吸気経路１０３内に乾燥専用の空気加熱ヒータ等の電機部品を設けることが困難であるという課題があった。また、送風ダクト１０６は、泡の想定最高到達点以上の高さが必要であり、食器洗い機の高さ寸法を低くすることに限界があった。また、吸気経路１０３は逆Ｕ字状に形成された送風ダクト１０６を有しているため、流路抵抗が大きく、強力な送風ファン１０５を必要とし
、消費電力の低減に限界があるという課題を有していた。
【０００８】
本発明は、前記従来の課題を解決するもので、洗浄工程およびすすぎ工程において洗浄槽からの泡の逆流を抑制できるとともに、乾燥工程において、洗浄槽内に蓄えられた熱を利用して温められた空気をスムーズに洗浄槽内に供給できる乾燥装置を備え、高い乾燥効率と省エネルギー性を有する食器洗い機を提供することを目的とする。
【課題を解決するための手段】
【０００９】
本発明は上記目的を達成するために、本体と、前記本体内に設けられ被洗浄物を収容する洗浄槽と、前記被洗浄物を洗浄する洗浄装置と、前記被洗浄物を乾燥させる乾燥装置とを備え、前記乾燥装置は、乾燥用空気を加熱する空気加熱ヒータと、乾燥用空気を前記洗浄槽内に送り込む送風ファンと、前記空気加熱ヒータや前記送風ファンを駆動する駆動回路部と、乾燥用空気吹出口において前記洗浄槽内と連通する送風配管とを有し、前記送風配管内に、前記洗浄槽からの泡の侵入を抑制するダンパーを設けたもので、洗浄工程およびすすぎ工程において洗浄槽からの泡の逆流を抑制できるとともに、乾燥工程において、洗浄槽内に蓄えられた熱を利用して温められた空気をスムーズに洗浄槽内に供給できる乾燥装置を備え、高い乾燥効率と省エネルギー性を有する食器洗い機を提供することができる。
【発明の効果】
【００１０】
本発明の食器洗い機は、洗浄工程およびすすぎ工程において洗浄槽からの泡の逆流を抑制できるとともに、乾燥工程において、洗浄槽内に蓄えられた熱を利用して温められた空気をスムーズに洗浄槽内に供給できる乾燥装置を備え、高い乾燥効率と省エネルギー性を有する食器洗い機を提供することができる。
【図面の簡単な説明】
【００１１】
【図１】本発明の実施の形態１における食器洗い機の上扉体および下扉体が開かれた状態の正面外観斜視図
【図２】本発明の実施の形態１における食器洗い機の背面外観斜視図
【図３】本発明の実施の形態１における食器洗い機の正面図
【図４】本発明の実施の形態１における食器洗い機の要部正面断面図
【図５】本発明の実施の形態１における食器洗い機の上扉体および下扉体が閉じられた状態の側壁部断面図
【図６】本発明の実施の形態１における食器洗い機の上扉体および下扉体が開かれた状態の側面図
【図７】本発明の実施の形態１における食器洗い機の上食器かごの構成を示す斜視図
【図８】本発明の実施の形態１における食器洗い機の下食器かごの構成を示す斜視図
【図９】本発明の実施の形態１における食器洗い機の洗浄槽の水溜部および排水口の構成を示す上面断面図
【図１０】本発明の実施の形態１における食器洗い機の洗浄槽の水溜部および排水口の構成を示す、水溜部蓋が取り除かれた状態の上面断面図
【図１１】本発明の実施の形態１における食器洗い機の洗浄槽の水溜部および排水口の構成を示す図９のＡ−Ａ断面斜視図
【図１２】本発明の実施の形態１における食器洗い機の洗浄槽の水溜部および排水口の構成を示す図９のＢ−Ｂ断面斜視図
【図１３】本発明の実施の形態１における食器洗い機の洗浄槽の水溜部および排水口の構成を示す図１０のＣ−Ｃ断面図
【図１４】本発明の実施の形態１における食器洗い機の乾燥装置の構成および乾燥用空気の流れを示す正面図
【図１５】本発明の実施の形態１における食器洗い機の乾燥用空気吹出口および排気口を示す前面斜視図
【図１６】本発明の実施の形態１における食器洗い機の乾燥装置の構成を示す分解斜視図
【図１７】本発明の実施の形態１における食器洗い機の乾燥装置の乾燥用空気吸込口の周辺の要部断面図
【図１８】本発明の実施の形態１における食器洗い機の乾燥装置のダンパーの周辺の要部断面図
【図１９】（ａ）本発明の実施の形態１における食器洗い機の乾燥装置のダンパーが閉じられた状態の要部断面図（ｂ）本発明の実施の形態１における食器洗い機の乾燥装置のダンパーが開かれた状態の要部断面図
【図２０】従来の食器洗い機の概念図
【発明を実施するための形態】
【００１２】
第１の発明は、本体と、前記本体内に設けられ被洗浄物を収容する洗浄槽と、前記被洗浄物を洗浄する洗浄装置と、前記被洗浄物を乾燥させる乾燥装置とを備え、前記乾燥装置は、乾燥用空気を加熱する空気加熱ヒータと、乾燥用空気を前記洗浄槽内に送り込む送風ファンと、前記空気加熱ヒータや前記送風ファンを駆動する駆動回路部と、乾燥用空気吹出口において前記洗浄槽内と連通する送風配管とを有し、前記送風配管内に、前記洗浄槽からの泡の侵入を抑制するダンパーを設けた食器洗い機で、この構成によって、洗浄工程およびすすぎ工程において洗浄槽からの泡の逆流を抑制できるとともに、乾燥工程において、洗浄槽内に蓄えられた熱を利用して温められた空気をスムーズに洗浄槽内に供給できる乾燥装置を備え、高い乾燥効率と省エネルギー性を有する食器洗い機を提供することができる。
【００１３】
また、送風配管に従来設けられていた逆Ｕ字状の部分を設ける必要がなく、加熱された乾燥用空気を長さが短い送風配管を通じて流路抵抗少なくスムーズに洗浄槽内に供給できるので、送風ファンは小型で消費電力の小さいものを使用することができ、省エネルギー化を図ることができる。
【００１４】
第２の発明は、特に、第１の発明において、前記送風配管を略上下方向に配設して乾燥用空気の流れが上から下へ向かうように構成し、前記乾燥用空気吹出口を前記洗浄槽の下部に設け、前記ダンパーを前記乾燥用空気吹出口の近傍に配設したもので、この構成によって、洗浄工程およびすすぎ工程において、洗浄槽からの泡がダンパーより上方の送風配管内に侵入することを抑制することができる。これにより、ダンパーより上方の送風配管内に配設された電機部品の損傷および誤動作を防止することができる。また、乾燥工程において、送風配管内に侵入した泡を上方から下方への送風によって水化させて下方へ移動または消滅させることができる。
【００１５】
第３の発明は、特に、第１または第２の発明において、前記ダンパーは、前記送風配管の内部を開閉自在に構成され、常時は閉成されており、前記送風ファンの駆動によって発生する乾燥用空気の流れによって開放され、前記送風ファンの駆動停止によって閉成されるもので、この構成によって、送風ファンが駆動されない洗浄工程およびすすぎ工程においては、洗浄槽からの泡の送風配管内への侵入を抑制することができ、乾燥工程においては、自動で送風配管内の乾燥用空気の流路が開放され、乾燥用空気をスムーズに洗浄槽内に供給することができる。
【００１６】
第４の発明は、特に、第１〜第３のいずれかの発明において、前記送風配管内に、常時は前記ダンパーの閉成を維持し、前記ダンパーの開放時には開放方向を規制する規制部材を設けたもので、この構成によって、簡単な構成によって、送風ファンが駆動されない洗浄工程およびすすぎ工程においては、洗浄槽からの泡の送風配管内への侵入を抑制するこ
とができ、乾燥工程においては、自動で送風配管内の乾燥用空気の流路が安定して開放され、乾燥用空気をスムーズに洗浄槽内に供給することができる。
【００１７】
第５の発明は、特に、第４の発明において、前記ダンパーは、上方に設けられた回動支軸まわりに回動可能に懸下され、前記規制部材は、前記送風配管の壁面から横方向内方へ突出させたリブで構成されたもので、この構成によって、簡単な構成によって、送風ファンが駆動されない洗浄工程およびすすぎ工程においては、洗浄槽からの泡の送風配管内への侵入を抑制することができ、乾燥工程においては、自動で送風配管内の乾燥用空気の流路が安定して開放され、乾燥用空気をスムーズに洗浄槽内に供給することができる。
【００１８】
第６の発明は、特に、第１〜第５のいずれかの発明において、前記空気加熱ヒータは、前記送風配管内の前記ダンパーの上方近傍に設けられたもので、この構成によって、空気加熱ヒータによって加熱された乾燥用空気を送風配管内の通過による熱ロスを少なくして、洗浄槽内に供給することができる。また、空気加熱ヒータと制御部とを接続する電気配線の長さを短くすることができる。また、空気加熱ヒータより上方の送風配管内の空間に他の電機部品を配設することができる。
【００１９】
第７の発明は、特に、第１〜第６のいずれかの発明において、前記洗浄槽内に収容された被洗浄物を洗浄する洗浄水を加熱する洗浄水加熱ヒータを備え、前記洗浄水加熱ヒータは、前記洗浄槽の外部に設けられたもので、この構成によって、空気加熱ヒータは送風配管内の乾燥用空気を加熱することに特化させることができる。これにより、空気加熱ヒータを小電力なもので構成することができ、省エネルギー化を図ることができる。洗浄に使用される洗浄水は、洗浄水循環経路に吸引される洗浄水のみが加熱され、各洗浄ノズルに供給されるので、各洗浄ノズルから噴射される洗浄水の温度を維持した状態で被洗浄物を洗浄することができる。また、洗浄水加熱ヒータを小電力なもので構成することができ、省エネルギー化を図ることができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における食器洗い機の上扉体および下扉体が開かれた状態の正面外観斜視図である。図２は、本発明の実施の形態１における食器洗い機の背面外観斜視図である。図３は、本発明の実施の形態１における食器洗い機の正面図である。図４は、本発明の実施の形態１における食器洗い機の要部正面断面図である。図５は、本発明の実施の形態１における食器洗い機の上扉体および下扉体が閉じられた状態の側壁部断面図である。図６は、本発明の実施の形態１における食器洗い機の上扉体および下扉体が開かれた状態の側面図である。図７は、本発明の実施の形態１における食器洗い機の上食器かごの構成を示す斜視図である。図８は、本発明の実施の形態１における食器洗い機の下食器かごの構成を示す斜視図である。
【００２２】
図１〜図６に示されるように、食器洗い機の本体１の内部には、樹脂製の洗浄槽２が設けられている。洗浄槽２の前面には、食器等の被洗浄物６が出し入れされる開口部３が設けられている。開口部３の上部と下部をそれぞれ上扉体４と下扉体５によって開閉するよう構成されている。
【００２３】
開口部３の周囲の前面には、例えばシリコンゴム等の弾性体からなるシール部材９が取り付けられている。シール部材９と、上扉体４に設けられた上扉体シール受け部（図示せず）と、下扉体５に設けられた下扉体シール受け部（図示せず）とによって、開口部３のシール部が構成されている。上扉体４の下端部には扉体間シール部材６８（図示せず）が
取り付けられており、上扉体４と下扉体５とが閉じられたとき、上扉体４の下端部と下扉体５の上端部との間のシール性が確保されるよう構成されている。
【００２４】
上扉体４と下扉体５は、洗浄槽２の左右の外側壁に設けられた一対の扉体開閉機構１０によって連動して回動されて開閉される。上扉体４と下扉体５は、開口部３の前側下方にその内面が上向きで略水平となる位置まで開成されるよう構成されている。上扉体４と下扉体５は、開成されたとき、上扉体４が下扉体５の上に重なるように位置する。
【００２５】
下扉体５の前面には、扉体オープンボタン１１が設けられている。上扉体４および下扉体５を開口部３に閉成された状態で洗浄槽２にロックする扉体ロック装置１２が、洗浄槽２の外側壁に設けられている。使用者が扉体オープンボタン１１を押し込むと、扉体ロック装置１２はロックが解除され、下扉体５が下端部を中心に少し回動され、上端部が、使用者の指が掛けられる程度前方に開かれるよう構成されている。
【００２６】
なお、上扉体４および下扉体５を開く方式は、開放方向への付勢力によって自動で開成状態まで開かれるような方式であってもよい。
【００２７】
下扉体５の前面に、操作表示部１３が設けられている。操作表示部１３は、食器洗い機の運転を制御する制御部（図示せず）と電気的に接続されており、制御部と運転に関する情報をやりとりする。制御部は、洗い工程、すすぎ工程および乾燥工程を制御し、被洗浄物６の洗浄運転を実行する。使用者は、操作表示部１３を操作して、運転コースの選択および洗浄、すすぎ、乾燥の時間や回数等の条件を入力する。また、使用者は、操作表示部１３に表示される情報によって、選択された運転コースや運転状況の確認を行うことができる。
【００２８】
洗浄槽２の内部には、食器等の被洗浄物６がセットされる上食器かご７および下食器かご８が収納されている。上食器かご７および下食器かご８は、いずれも洗浄槽２の左右の内側面２ａ、２ｂに設けられた上食器かごガイドレール７１および下食器かごガイドレール８１によって、前後方向に個別に移動可能に支持されている。上食器かご７および下食器かご８は、上扉体４と下扉体５が開成されたとき、洗浄槽２の前面の開口部３より前方に引き出すことが可能である。また、上食器かご７および下食器かご８は、それぞれ上食器かごガイドレール７１および下食器かごガイドレール８１から取り外し可能である。
【００２９】
図７に示されるように、上食器かご７は、上食器かご本体７７と、上食器かご本体７７の左側に載置される第１のセットかご７８と、上食器かご本体７７の右側に載置される第２のセットかご７９と、上食器かご本体７７の左右に固定される側面部材７３とから構成されている。第１のセットかご７８は、着脱可能ではあるが、通常、上食器かご本体７７に取り付けられて使用される。
【００３０】
図８に示されるように、下食器かご８は、下食器かご本体８７と、下食器かご本体８７の左側に載置される第３のセットかご８８と、下食器かご本体８７の中央やや右寄りに載置される小物入れ８９と、下食器かご本体８７の左右に固定される側面部材８３とから構成されている。第３のセットかご８８は、着脱可能ではあるが、通常、下食器かご本体８７に取り付けられて使用される。
【００３１】
洗浄槽２の内部に洗浄水を供給する給水部が備えられている。給水部は、本体１に設けられた給水弁（図示せず）と、給水弁と洗浄槽２とを接続する内部給水配管と、給水弁と水道水配管とを接続する給水ホース９６とによって構成されている。制御部が、洗浄槽２の内部と連通する水位センサ（図示せず）からの情報に基づいて給水弁を制御し、洗浄工程およびすすぎ工程において、洗浄槽２の内部に所定量の洗浄水を供給する。
【００３２】
図４に示されるように、洗浄槽２内の下部に、複数設けられた噴射孔から洗浄水を噴射する第１の回転洗浄ノズル１４および第２の回転洗浄ノズル１５が配設されている。洗浄槽２の内部の背面には、洗浄槽２の内壁に沿わせてほぼ十字形状の固定洗浄ノズル１６が配設されている。固定洗浄ノズル１６は、扁平な筒状に形成されており、洗浄槽２の内部スペースを広く確保している。第３の回転洗浄ノズル１７は、上食器かご７の左側下方に配設されている。第３の回転洗浄ノズル１７は、洗浄水を噴射する複数の噴射孔を上面に備え、上食器かご７の左側に収容された被洗浄物６に向けて、すぐ真下から洗浄水を噴射する。
【００３３】
洗浄槽２内に収容された被洗浄物６に向けて、第１の回転洗浄ノズル１４、第２の回転洗浄ノズル１５、固定洗浄ノズル１６、および固定洗浄ノズル１６と連通された第３の回転洗浄ノズル１７から洗浄水が順番に噴射されることにより、被洗浄物６は洗浄される。
【００３４】
図５に示されるように、すすぎ後の被洗浄物６を乾燥させる乾燥装置３０が洗浄槽２の外側部に設けられている。乾燥装置３０は、ヒータ３４（空気加熱ヒータ、図５には図示せず）、ファン３１（送風ファン）、空気温度センサ（温度センサ２９）、送風配管３２等によって構成されている。これらの構成については、詳しく後述する。乾燥装置３０の送風配管３２は、一端が洗浄槽２内の右奥下部に設けられた乾燥用空気吹出口２ｃに連通されており、他端が洗浄槽２の右奥上端部の外側に近接させて開放されている。ファン３１は、送風配管３２の上記他端の近傍に配設されている。
【００３５】
この構成により、ファン３１によって機外から吸引された乾燥用空気は、ヒータ３４によって加熱された後、乾燥用空気吹出口２ｃから洗浄槽２の内部に送り込まれ、被洗浄物６を乾燥させる。被洗浄物６の表面から除去された水分を含んだ湿った空気は、本体１の上面に設けられた排気口３３から機外に排出される。空気温度センサ（温度センサ２９）は、洗浄槽２の底部の乾燥用空気吹出口２ｃに近い位置の外壁に設置されている。
【００３６】
洗浄槽２の水溜部１８の構成を、図を参照して説明する。図９は、本発明の実施の形態１における食器洗い機の洗浄槽の水溜部および排水口の構成を示す上面断面図である。図１０は、図９の状態から水溜部蓋が取り除かれた状態の上面断面図である。図１１は、図９のＡ−Ａ断面図である。図１２は、図９のＢ−Ｂ断面図である。図１３は、図１０のＣ−Ｃ断面図である。
【００３７】
洗浄槽２の底部には、洗浄工程およびすすぎ工程において、供給された洗浄水が溜められる水溜部１８が凹設されている。水溜部１８は、洗浄槽２の底部に開口する開口部１８ａが横長の概略長方形に形成され、その開口部１８ａから所定深さほぼ垂直に凹設されている。水溜部１８は、洗浄槽２の左右のほぼ中央の前部に設けられている。
【００３８】
水溜部１８のほぼ中央部には、さらに一段低い凹部が設けられている。その凹部に、排水口１９が設けられている。水溜部１８の底面は、排水口１９に向かってゆるやかに下り傾斜に形成されている。
【００３９】
水溜部１８の上部の開口部１８ａには、水溜部蓋２０が、洗浄槽２の底部と連続するように着脱自在に嵌め込まれている。水溜部蓋２０は、外周形状が水溜部１８の開口部１８ａと対応する横長の概略長方形に形成され、中央部が凹設されて凹部２０ａが形成されている。凹部２０ａの中央には、円形の開口２０ｂが設けられている。水溜部蓋２０が水溜部１８の開口部１８ａに装着されたとき、凹部２０ａは、排水口１９の直上に位置する。そして、排水口１９に後述する残菜フィルタ２３が取り付けられたとき、凹部２０ａの下面は、中央の円形の開口２０ｂと残菜フィルタ２３の第１のフィルタ５１の外縁部上面と
が連続するように構成されている。
【００４０】
水溜部蓋２０は、凹部２０ａの傾斜面以外の平面の大部分にきわめて小さな複数の孔２０ｄが設けられている。洗浄水の多くは、この孔２０ｄから水溜部１８に落下する。この孔２０ｄから落下しなかった洗浄水は、残菜とともに凹部２０ａの下面に配設された残菜フィルタ２３に流入する。
【００４１】
水溜部蓋２０の凹部２０ａの側面上部には、溢水口２０ｃが設けられている。洗浄水が給水される洗浄水位（図１２中にＡで示されている）は、溢水口２０ｃよりやや低い高さ位置に設定されているが、運転中に残菜フィルタ２３および水溜部蓋２０の目詰まりのために洗浄水の水位が上昇した場合、洗浄水は溢水口２０ｃから溢れて排水される。
【００４２】
排水口１９には、残菜を捕集する残菜フィルタ２３が配設されている。残菜フィルタ２３は、水溜部蓋２０の凹部２０ａの下面より下方に配設されている。
【００４３】
図１２、図１３に示されるように、排水口１９は、洗浄水循環経路２１を通じて洗浄ポンプ２２の吸い込み側に連通している。洗浄工程およびすすぎ工程において、洗浄水は、水溜部蓋２０の孔２０ｄを通過したり、残菜フィルタ２３を通過したりして水溜部１８および排水口１９に溜まる。水溜部１８および排水口１９に溜まった洗浄水は、洗浄ポンプ２２に吸い込まれて加圧され、分水部（図示せず）によって送水先が選択され、分水されて送水される。
【００４４】
分水されて送水される洗浄水は、第１の回転洗浄ノズル１４、第２の回転洗浄ノズル１５、固定洗浄ノズル１６および固定洗浄ノズル１６と連通された第３の回転洗浄ノズル１７に供給され、各ノズルの噴射孔から噴射される。噴射された洗浄水は、被洗浄物６を洗浄もしくはすすぎ、再び水溜部１８および排水口１９に戻る。このようにして、洗浄工程もしくはすすぎ工程において、洗浄水は循環される。
【００４５】
洗浄ポンプ２２にはヒータ２５が内設されている。循環される洗浄水は、ヒータ２５に通電されることにより、必要に応じて適宜加熱される。また、洗浄水の温度を検知する温度センサ２９が、洗浄槽２の底部の外壁に設置されている。温度センサ２９が設置される洗浄槽２の底部の外壁部分は、洗浄槽２の内側に膨出されている。その膨出部２ｅの内部に温度センサ２９を配設することにより、温度センサ２９の検出感度を向上させている。制御部は、温度センサ２９の検知情報に基づいて、ヒータ２５の通電を制御する。温度センサ２９は、サーミスタ等により構成されている。なお、温度センサ２９は、乾燥工程において洗浄槽２内の空気の温度を検知する空気温度センサも兼ねている。
【００４６】
また、排水口１９は、排水経路２６を通じて排水ポンプ２７の吸い込み側に連通している。洗浄工程およびすすぎ工程が完了して排水される洗浄水は、排水ポンプ２７によって排水経路２６から排水ホース９７を経由して食器洗い機の外部に排出される。
【００４７】
次に、排水口１９の構成を、図１１〜図１３を用いて説明する。図１１〜図１３に示されるように、排水口１９は、中央に位置する機外排水口４１と、その周囲に機外排水口４１とは隔離して設けられた中空円環状の循環排水口４２とによって構成されている。
【００４８】
機外排水口４１は、上面、下面、外周面および内周面で囲まれた円環状の機外排水室４３を備えている。機外排水室４３の下面は、水溜部１８のほぼ中央部に一段低く設けられた凹部の底面の一部をさらに凹設して円形に形成された底面で構成されている。機外排水室４３の上面、外周面および内周面は、機外排水口外郭４４で構成されている。
【００４９】
機外排水口外郭４４は、円周状に形成された外周面４４ａと、外周面４４ａと連続させて形成された上面４４ｂと、外周面４４ａを形成する円の中心に、外周面４４ａの下端とほぼ同じ高さから垂直に上面４４ｂより高く設けられた軸部４４ｃと、軸部４４ｃの上端部に水平に円板状に張り出して設けられた洗浄水拡散部４４ｄと、洗浄水拡散部４４ｄと上面４４ｂとを４点で連続させる円周接続部４４ｅとから構成されている。
【００５０】
洗浄水拡散部４４ｄの下部で複数の円周接続部４４ｅの間は、複数の円弧形状の洗浄水排水吸込口４５が設けられている。洗浄水排水吸込口４５は、排水される洗浄水をすみやかに機外排水室４３に導くために十分な面積が確保されて設けられている。
【００５１】
円板状の洗浄水拡散部４４ｄの上面は、排水される洗浄水を円周の全方向に拡散するために、中心部が外周部より高い凸面状に形成されている。
【００５２】
機外排水室４３は、排水経路２６を通じて排水ポンプ２７の吸い込み側に連通している。
【００５３】
循環排水口４２は、上面、下面、外周面および内周面で囲まれた円環状の循環排水室４６を備えている。循環排水室４６の下面は、水溜部１８のほぼ中央部にさらに一段低く設けられた凹部の底面の一部で構成されており、上面、外周面および内周面は、循環排水口外郭４７で構成されている。循環排水口外郭４７の上面４７ａおよび内周面には、多数の孔より成る洗浄水循環吸込口４８が設けられている。洗浄水循環吸込口４８は、水溜部１８のほぼ中央部の一段低い凹部に開放されている。循環排水室４６は、洗浄水循環経路２１を通じて洗浄ポンプ２２の吸い込み側に連通している。
【００５４】
機外排水口外郭４４および循環排水口外郭４７は、樹脂で一体に形成されている。機外排水口外郭４４および循環排水口外郭４７は、洗浄槽２の水溜部１８とは別部材で構成されている。
【００５５】
乾燥装置３０の構成を、図を参照して詳しく説明する。図１４は、本発明の実施の形態１における食器洗い機の乾燥装置の構成および乾燥用空気の流れを示す正面図である。図１５は、乾燥用空気吹出口および排気口を示す前面斜視図である。図１６は、乾燥装置の構成を示す分解斜視図である。図１７は、乾燥装置の乾燥用空気吸込口の周辺の要部断面図である。図１８は、乾燥装置のダンパーの周辺の要部断面図である。図１９は、乾燥装置のダンパーの開閉それぞれの状態を示す要部断面図である。
【００５６】
図１４〜図１７に示されるように、乾燥装置３０は、ファン３１（送風ファン）、送風配管３２、ヒータ３４（空気加熱ヒータ）、ダンパー３５、吸気フィルタ３６、温度センサ２９（空気温度センサ）、駆動回路部（図示せず）等によって構成されている。
【００５７】
送風配管３２は、送風配管部材３７が、洗浄槽２の右側面外壁２ｆに固着されることにより構成される。送風配管部材３７は、断面が略コの字形（一辺が開放された矩形）で縦長直線状に形成されている。洗浄槽２の右側面外壁２ｆが送風配管３２の一側面を形成することにより、送風配管３２は、洗浄槽２の側面に密着されて構成されている。送風配管３２は、洗浄槽２の高さ寸法に近い長さに構成され、洗浄槽２の右側面外壁２ｆにほぼ垂直に配設されている。
【００５８】
送風配管３２の上端部は、乾燥用空気の吸気部を成し、ファン３１（送風ファン）および吸気フィルタ３６が配設され、洗浄槽２の後方上部の本体１内に開放されている。送風配管３２の下端部は、洗浄槽２の底部に設けられた乾燥用空気吹出口２ｃに接続されている。送風配管３２の下端部近傍の送風配管３２内に、ダンパー３５が配設され、さらにそ
の上方近傍にヒータ３４（空気加熱ヒータ）が配設されている。ヒータ３４は、ヒータ本体の他に、サーモスタット、温度ヒューズ等の電機部品を内蔵している。
【００５９】
ファン３１は、本体１の底部に設けられた外気吸込口（図示せず）から取り込まれ、洗浄槽２の周囲側面の外壁に触れて温められた空気を送風配管３２内に吸い込み、洗浄槽２内に供給する。ファン３１は、内蔵されたＤＣモータによって駆動されるＤＣファンである。ファン３１は、吸気側を洗浄槽２側に向けて配設されている。ファン３１の吸気側に対向する洗浄槽２の上端角部はカットされて傾斜形状に形成されており、吸気スペース３９が設けられている。
【００６０】
吸気フィルタ３６は、送風配管３２内に吸い込まれる空気に含まれる塵埃を捕集し、除去する。吸気フィルタ３６は、ファン３１および吸気スペース３９の上方に配設されている。
【００６１】
乾燥装置３０を構成する上記各部材の洗浄槽２の右側面外壁２ｆへの取り付け手順を説明する。ファン３１を爪部で抱きかかえた吸気フィルタ３６は、洗浄槽２の天面の係止部に爪部が係合されるようにして、洗浄槽２の上面に上方から装着される。送風配管部材３７の内側に、ダンパー３５が回動可能に固定され、ヒータ３４が送風配管部材３７の外壁に引っ掛けられる形で仮固定されている。その送風配管部材３７が、ファン３１の外側および前後の側面を保持しつつ洗浄槽２の右側面外壁２ｆに嵌め込まれて固着される。これにより、乾燥装置３０を構成する上記各部材の洗浄槽２の右側面外壁２ｆへの取り付けは完了する。その後、ファン３１およびヒータ３４の電気系が、食器洗い機の運転を制御する制御部（図示せず）の駆動回路部にコネクタで電気的に接続される。
【００６２】
上記された構成により、本体１の底部に設けられた外気吸込口（図示せず）から取り込まれた空気は、送風配管３２の上端部の吸気部に達するまでに洗浄槽２の周囲側面の外壁に触れて温められる。さらに、洗浄槽２の上端部近傍に設けられた前記吸気部から洗浄槽２の底部に設けられた乾燥用空気吹出口２ｃに到るまで縦長に形成された送風配管３２が洗浄槽２の右側面外壁２ｆに固着されている。これにより、乾燥用空気は、送風配管３２内を通過する間に洗浄工程およびすすぎ工程において洗浄槽２内に蓄えられた熱を右側面外壁２ｆを介して吸収して温められる。これにより、洗浄槽２内に吹き出される乾燥用空気を予備加熱することができ、乾燥工程における省エネルギー化を図ることができる。
【００６３】
乾燥用空気の温度を検知する空気温度センサは、洗浄水の温度を検知する温度センサ２９が兼用されている。前述されたように、温度センサ２９（空気温度センサ）は、乾燥用空気吹出口２ｃに近い位置の洗浄槽２の底部の外壁部分を内側に膨出させて形成した膨出部２ｅの内部に配設されている。
【００６４】
図１４に矢印で示されるように、乾燥用空気吹出口２ｃから洗浄槽２内に吹き出された乾燥用空気は、洗浄槽２の底部の膨出部２ｅに配設された温度センサ２９によって温度検知され、被洗浄物６を乾燥させ、洗浄槽２の天面の乾燥用空気吹出口２ｃの直上位置に設けられた洗浄槽排気口（図示せず）から本体内に排出され、さらに本体１の上面に設けられた排気口３３から機外に排出される。
【００６５】
送風配管３２（送風配管部材３７）の最下部の、洗浄槽２の右側面外壁２ｆとは反対側の壁面は、下方が前方から見て略三角形状に内方に膨出され、上傾斜面３７ａと下傾斜面３７ｂとが形成されている。
【００６６】
ヒータ３４は、上傾斜面３７ａより上の送風配管部材３７に固定され、送風配管３２内に配設されている。ヒータ３４は、送風配管部材３７に対する固定が外れても、上傾斜面
３７ａの内壁によって保持され、それより下方には落下しない。乾燥用空気を専門に加熱するヒータ３４が送風配管３２内に設けられたことにより、洗浄水加熱ヒータであるヒータ２５は、従来のように洗浄槽２の底部の水溜部１８内に設けられる必要がない。上述されたように、洗浄水加熱ヒータであるヒータ２５は、洗浄ポンプ２２に内蔵されている。
【００６７】
これにより、洗浄ポンプ２２によって洗浄水循環経路２１に吸引される洗浄水のみが加熱され、各洗浄ノズルに供給されるので、各洗浄ノズルから噴射される洗浄水の温度を維持した状態で被洗浄物６に噴射することができる。また、ヒータ２５を小電力なもので構成することができる。
【００６８】
ダンパー３５の構成および動作、作用を、図１８および図１９を用いて説明する。図１８に示されるように、ダンパー３５は、下傾斜面３７ｂの上端部に対応する前後方向の支軸まわりに回動自在に、送風配管３２内に配設されている。ダンパー３５は、自重によって垂直に垂れ下がる。
【００６９】
洗浄槽２の右側面外壁２ｆの最下部で、乾燥用空気吹出口２ｃの近傍上方に、ダンパー閉止リブ３８（規制部材）が、送風配管３２内に突出させて設けられている。ダンパー３５は、ファン３１駆動による送風配管３２内の送風が行われていない常時においては、自重によって垂れ下がり、垂直よりやや外側に回動された位置でダンパー閉止リブ３８に当接され、閉止位置が規制される。
【００７０】
１９（ａ）に示されるように、洗浄工程およびすすぎ工程においては、ファン３１駆動による送風配管３２内の上方から下方への送風が行われないので、ダンパー３５は、自重によって垂れ下がり、ダンパー閉止リブ３８に当接されることによって閉成が維持される。これによって、洗浄槽２内で発生した洗浄水の泡が乾燥用空気吹出口２ｃから侵入し、送風配管３２内に上方に向かって逆流してきても、ダンパー３５が閉止されていることにより、ダンパー３５より上方の送風配管３２内への侵入は抑制される。したがって、ダンパー３５の上方近傍に配設されたヒータ３４への泡の侵入が抑制され、ヒータ３４のヒータ本体やサーモスタット、温度ヒューズ等の電機部品の損傷および誤動作を防止することができる。
【００７１】
また、１９（ｂ）に示されるように、乾燥工程においては、ファン３１駆動による送風配管３２内の上方から下方への送風が行われる。ダンパー３５は、その送風によって回動されて押し開かれ、ダンパー閉止リブ３８への当接が解除され、下傾斜面３７ｂに当接される。これにより、ダンパー３５は開放され、ヒータ３４によって加熱された乾燥用空気が上方から下方へスムーズに送風され、乾燥用空気吹出口２ｃから洗浄槽２内に吹き出される。ダンパー３５は、閉止時において垂直よりやや外側に回動された位置でダンパー閉止リブ３８に当接されているので、開放時における開放方向は下傾斜面３７ｂの方向に限定される。
【００７２】
以上のように、送風配管３２の最下部に乾燥用空気吹出口２ｃからの泡の逆流を抑制するダンパー３５を設けたことにより、送風配管３２には従来設けられていた逆Ｕ字状の部分を設ける必要がない。したがって、洗浄槽２の高さ寸法に近い長さで直線的に構成された送風配管３２を通じて加熱された乾燥用空気を流路抵抗少なくスムーズに洗浄槽２内に供給できる。これにより、ファン３１は小型で消費電力の小さいものを使用することができ、省エネルギー化を図ることができる。
【００７３】
また、洗浄工程およびすすぎ工程において送風配管３２内に逆流した泡を、乾燥工程において、上方から下方への送風によって水化させて下方へ移動または消滅させることができる。
【００７４】
また、ヒータ３４をダンパー３５の上方近傍、すなわち送風配管３２内の最下部に配設することができる。これにより、ヒータ３４によって加熱された乾燥用空気を送風配管３２内の通過による熱ロスを少なくして、乾燥用空気吹出口２ｃから洗浄槽２内に供給することができる。また、ヒータ３４と制御部とを接続する電気配線の長さを短くすることができる。また、ヒータ３４より上方の送風配管３２内の空間が広く、他の電機部品を配設することも可能となる。
【００７５】
なお、ダンパー３５とダンパー閉止リブ３８との当接部に、ゴムパッキン等のシール部材が設けられていてもよい。また、ダンパー３５のダンパー閉止リブ３８との当接部の上部近傍部分に、泡侵入抑止リブが内方へ突出させて設けられていてもよい。また、傾斜取り付けやバネ等によってダンパー３５が閉止方向に付勢されていてもよい。これらにより、送風配管３２内の上方への泡の侵入をより効果的に抑制することができる。
【００７６】
以上のように構成された食器洗い機について、その動作および作用を説明する。
【００７７】
使用者が下扉体５の扉体オープンボタン１１を押し込むと、扉体ロック装置１２のロックが解除され、下扉体５の上端部が少し前方に開かれる。次いで、使用者が下扉体５の上端部に手を掛け前方下方に引くことによって、下扉体５は本体１の前方下方に開かれる。このとき、上扉体４も扉体開閉機構１０によって連動して本体１の前方下方に開かれる。そして、上扉体４と下扉体５は、上扉体４が下扉体５の上に重なった状態で、ほぼ水平状態まで開成され、洗浄槽２の前面の開口部３は前方に開放される。
【００７８】
使用者は、開放された洗浄槽２の開口部３から下食器かご８を前方に引き出し、洗浄したい被洗浄物６を下食器かご８にセットする。本実施の形態における下食器かご８は、下記のような被洗浄物６がセットされるのに適した構成となっている。箸、フォーク、スプーン等は、下食器かご８の中央やや右寄りに設けられた専用の小物入れ８９に収容される。小物入れ８９の右側には、大皿、ラーメン鉢等の比較的大きい食器が収容される。小物入れ８９の左側の第３のセットかご８８には、丼鉢、小鉢、中皿等が収容される。
【００７９】
下食器かご８に被洗浄物６のセッティングが終了すると、使用者は、下食器かご８を洗浄槽２内に押し込み収容する。
【００８０】
次に、使用者は、上食器かご７を前方に引き出し、洗浄したい被洗浄物６を上食器かご７にセットする。本実施の形態における上食器かご７は、下記のような被洗浄物６がセットされるのに適した構成となっている。上食器かご７の左側の第１のセットかご７８には、茶碗、汁椀、小皿等が収容される。上食器かご７の右側の第２のセットかご７９には、コップ、弁当箱、碗類等が収容される。
【００８１】
上食器かご７に被洗浄物６のセッティングが終了すると、使用者は、上食器かご７を洗浄槽２内に押し込み収容する。
【００８２】
次に、使用者は、適量の洗剤を下食器かご８に設けられた洗剤投入部９０から洗浄槽２の水溜部１８に投入し、上扉体４および下扉体５を閉じる。使用者は、操作表示部１３によって電源を投入し、運転コースおよび時間等の条件を入力し、スタートボタンを押す。すると、制御部は、食器洗い機の運転を開始し、入力された条件にしたがって洗浄工程、すすぎ工程、乾燥工程を順に実行する。
【００８３】
まず、給水弁が動作して、所定量の洗浄水が洗浄槽２内に給水される。給水弁が停止し、給水が終わると、洗浄ポンプ２２が駆動される。洗浄水はヒータ２５によって加熱され
、洗浄ポンプ２２によって加圧されて、分水部から第１の回転洗浄ノズル１４、第２の回転洗浄ノズル１５、固定洗浄ノズル１６および固定洗浄ノズル１６と連通された第３の回転洗浄ノズル１７に選択的に分水されて送水される。
【００８４】
分水部は、例えば、第１の回転洗浄ノズル１４、第１の回転洗浄ノズル１４と第２の回転洗浄ノズル１５、第２の回転洗浄ノズル１５、固定洗浄ノズル１６とそれに連通した第３の回転洗浄ノズル１７の順に所定時間毎に洗浄水の送水を切り替えるように動作する。
【００８５】
第１の回転洗浄ノズル１４、第２の回転洗浄ノズル１５および第３の回転洗浄ノズル１７は、送給された洗浄水がそれぞれの噴射孔から噴出される際の反力によって回転する。これにより、回転移動する洗浄水が噴射され、下食器かご８および上食器かご７に収容された被洗浄物６は効率よく洗浄される。
【００８６】
固定洗浄ノズル１６は、垂直部位１６ａに設けられた噴射孔から洗浄水を上食器かご７の上方から噴射して上食器かご７に収容されたコップ等の被洗浄物６の外面を効率よく洗浄する。また、固定洗浄ノズル１６は、上食器かご７の下に設けられた第１の水平部位１６ｂに配列された噴射孔から洗浄水を主に上食器かご７の右側に噴射し、上食器かご７の第２のセットかご７９に斜め下向きに収容されたコップ等の被洗浄物６の内面を効率よく洗浄する。また、固定洗浄ノズル１６は、第２の水平部位１６ｃに配列された噴射孔から洗浄水を噴射することにより、上食器かご７の右側の第２のセットかご７９に収容されたコップ等の被洗浄物６の外面を洗浄する。
【００８７】
さらに、固定洗浄ノズル１６と連通した第３の回転洗浄ノズル１７は、上食器かご７の左側の第１のセットかご７８の直下から回転移動する洗浄水を噴射することにより、第１のセットかご７８に収容された茶碗等の被洗浄物６の内外面を効率よく洗浄する。
【００８８】
洗浄槽２内で、第１の回転洗浄ノズル１４、第２の回転洗浄ノズル１５、固定洗浄ノズル１６および固定洗浄ノズル１６と連通された第３の回転洗浄ノズル１７から噴射された洗浄水は、被洗浄物６を洗浄して洗浄槽２の下部の水溜部１８に流下し、排水口１９に集められる。そして、再び洗浄ポンプ２２によって吸引され、残菜フィルタ２３を透過し、ヒータ２５によって加熱され、再び各洗浄ノズルに送給される。
【００８９】
洗浄水が噴射されて被洗浄物６から脱落した残菜は、水溜部蓋２０および残菜フィルタ２３によって捕集される。また、洗浄水の温度は温度センサ２９によって検出されており、洗浄水の温度が所定温度を超えるとヒータ２５への通電が停止される。これによって、洗浄水は、常に洗浄に適した温度に維持される。
【００９０】
所定時間の洗浄工程が終了すると、汚れを含む洗浄水は排水ポンプ２７によって機外に排出され、洗浄槽２内に新たに洗浄水が給水される。給水された洗浄水は洗浄ポンプ２２によって加圧され、第１の回転洗浄ノズル１４、第２の回転洗浄ノズル１５、固定洗浄ノズル１６および固定洗浄ノズル１６と連通された第３の回転洗浄ノズル１７に送給される。送給された洗浄水は、各洗浄ノズルの噴射孔から噴射され、被洗浄物６に付着した洗剤や残菜等を洗い流すすすぎ工程が実行される。
【００９１】
このすすぎ工程は、所定時間、すすぎ動作が行われた後、すすぎ動作によって被洗浄物６から洗剤や残菜が洗い出された洗浄水は、排水ポンプ２７によって機外に排出される。そして、洗浄槽２内には新たな洗浄水が給水され、再びすすぎ動作が行われる。標準設定では、このすすぎ動作が３回実行され、洗浄水が排水ポンプ２７によって機外に排出されて、すすぎ工程は終了する。
【００９２】
すすぎ工程が終了すると、乾燥工程が実行される。乾燥装置３０が動作し、内蔵されたファン３１によって洗浄槽２内に送給される外気がヒータ３４によって加熱され、送風と加温との両方の効果によって、被洗浄物６に付着した水滴の蒸発が行われる。この乾燥が所定時間実施された後、乾燥装置３０の運転が停止されて乾燥工程が終了する。被洗浄物６の洗浄のすべての工程が終了し、選択された運転コースの実行が終了する。
【００９３】
以上のように、本実施の形態における食器洗い機は、本体１と、本体１内に設けられ、食器等の被洗浄物６を収容する洗浄槽２と、洗浄槽２内に収容された被洗浄物６を洗浄する第１の回転洗浄ノズル１４等の洗浄装置と、洗浄槽２内に収容された被洗浄物６を乾燥させる乾燥装置３０とを備え、乾燥装置３０は、乾燥用空気を加熱するヒータ３４と、乾燥用空気を洗浄槽２内に送り込むファン３１と、ヒータ３４やファン３１を駆動する駆動回路部と、乾燥用空気吹出口２ｃにおいて洗浄槽２内と連通する送風配管３２とを有し、送風配管３２内に、洗浄槽２からの泡の侵入を抑制するダンパー３５が設けられている。
【００９４】
この構成によって、洗浄工程およびすすぎ工程において洗浄槽２からの泡の逆流を抑制できるとともに、乾燥工程において、洗浄槽２内に蓄えられた熱を利用して温められた空気をスムーズに洗浄槽２内に供給できる乾燥装置３０を備え、高い乾燥効率と省エネルギー性を有する食器洗い機を提供することができる。
【００９５】
また、送風配管３２に従来設けられていた逆Ｕ字状の部分を設ける必要がなく、加熱された乾燥用空気を長さが短い送風配管３２を通じて流路抵抗少なくスムーズに洗浄槽２内に供給できるので、ファン３１は小型で消費電力の小さいものを使用することができ、省エネルギー化を図ることができる。
【００９６】
また、送風配管３２を略上下方向に配設して乾燥用空気の流れが上から下へ向かうように構成し、乾燥用空気吹出口２ｃを洗浄槽２の下部に設け、ダンパー３５は乾燥用空気吹出口２ｃの近傍に配設されている。この構成によって、洗浄工程およびすすぎ工程において、洗浄槽２からの泡がダンパー３５より上方の送風配管３２内に侵入することを抑制することができる。これにより、ダンパー３５より上方の送風配管３２内に配設された電機部品の損傷および誤動作を防止することができる。また、乾燥工程において、送風配管３２内に侵入した泡を上方から下方への送風によって水化させて下方へ移動または消滅させることができる。
【００９７】
また、ダンパー３５は、送風配管３２の内部を開閉自在に構成され、常時は閉成されており、ファン３１の駆動によって発生する乾燥用空気の流れによって開放され、ファン３１の駆動停止によって閉成される。この構成によって、ファン３１が駆動されない洗浄工程およびすすぎ工程においては、洗浄槽２からの泡の送風配管３２内への侵入を抑制することができ、乾燥工程においては、自動で送風配管３２内の乾燥用空気の流路が開放され、乾燥用空気をスムーズに洗浄槽２内に供給することができる。
【００９８】
また、送風配管３２内に、常時はダンパー３５の閉成を維持し、ダンパー３５の開放時には開放方向を規制するダンパー閉止リブ３８が設けられている。この構成によって、簡単な構成によって、ファン３１が駆動されない洗浄工程およびすすぎ工程においては、洗浄槽２からの泡の送風配管３２内への侵入を抑制することができ、乾燥工程においては、自動で送風配管３２内の乾燥用空気の流路が安定して開放され、乾燥用空気をスムーズに洗浄槽２内に供給することができる。
【００９９】
また、ダンパー３５は、上方に設けられた回動支軸まわりに回動可能に懸下され、ダンパー閉止リブ３８は、送風配管３２の壁面から横方向内方へ突出させて構成されている。この構成によって、簡単な構成によって、ファン３１が駆動されない洗浄工程およびすす
ぎ工程においては、洗浄槽２からの泡の送風配管３２内への侵入を抑制することができ、乾燥工程においては、自動で送風配管３２内の乾燥用空気の流路が安定して開放され、乾燥用空気をスムーズに洗浄槽２内に供給することができる。
【０１００】
また、ヒータ３４は、送風配管３２内のダンパー３５の上方近傍に設けられている。この構成によって、ヒータ３４によって加熱された乾燥用空気を送風配管３２内の通過による熱ロスを少なくして、洗浄槽２内に供給することができる。また、ヒータ３４と制御部とを接続する電気配線の長さを短くすることができる。また、ヒータ３４より上方の送風配管３２内の空間に他の電機部品を配設することができる。
【０１０１】
また、洗浄槽２内に収容された被洗浄物６を洗浄する洗浄水を加熱するヒータ２５は、洗浄ポンプ２２に内蔵、すなわち洗浄槽２の外部に設けられている。この構成によって、乾燥用空気を加熱するヒータ３４は送風配管３２内の乾燥用空気を加熱することに特化させることができる。これにより、乾燥用空気を加熱するヒータ３４を小電力なもので構成することができ、省エネルギー化を図ることができる。洗浄に使用される洗浄水は、洗浄水循環経路２１に吸引される洗浄水のみが加熱され、各洗浄ノズルに供給されるので、各洗浄ノズルから噴射される洗浄水の温度を維持した状態で被洗浄物６を洗浄することができる。また、洗浄水を加熱するヒータ２５を小電力なもので構成することができ、省エネルギー化を図ることができる。
【産業上の利用可能性】
【０１０２】
以上のように、本発明にかかる食器洗い機は、洗浄工程およびすすぎ工程において洗浄槽からの泡の逆流を抑制できるとともに、乾燥工程において、洗浄槽内に蓄えられた熱を利用して温められた空気をスムーズに洗浄槽内に供給できる乾燥装置を備え、高い乾燥効率と省エネルギー性を有する食器洗い機を提供することができるので、キッチンのワークトップ等に載置して使用される家庭用の食器洗い機等として有用である。
【符号の説明】
【０１０３】
１  本体
２  洗浄槽
２ｃ  乾燥用空気吹出口
２ｆ  右側面外壁
３  開口部
４  上扉体（扉体）
５  下扉体
６  被洗浄物
７  上食器かご
８  下食器かご
１４  第１の回転洗浄ノズル（洗浄装置）
１５  第２の回転洗浄ノズル（洗浄装置）
１６  固定洗浄ノズル（洗浄装置）
１７  第３の回転洗浄ノズル（洗浄装置）
１７ａ  回転洗浄ノズル導水路
１８  水溜部
１９  排水口
２０  水溜部蓋
２１  洗浄水循環経路
２２  洗浄ポンプ
２３  残菜フィルタ
２５  ヒータ（洗浄水加熱ヒータ）
２６  排水経路
２７  排水ポンプ
２９  温度センサ
３０  乾燥装置
３１  ファン（送風ファン）
３２  送風配管
３３  排気口
３４  ヒータ（空気加熱ヒータ）
３５  ダンパー
３６  吸気フィルタ
３７  送風配管部材
３８  ダンパー閉止リブ（規制部材）
３９  吸気スペース
４１  機外排水口
４２  循環排水口
４４ｄ  洗浄水拡散部
４５  洗浄水排水吸込口
４８  洗浄水循環吸込口
５１  第１のフィルタ
５２  第２のフィルタ
【図１】
2019080603.tif 000003
【図２】
2019080603.tif 000004
【図３】
2019080603.tif 000005
【図４】
2019080603.tif 000006
【図５】
2019080603.tif 000007
【図６】
2019080603.tif 000008
【図７】
2019080603.tif 000009
【図８】
2019080603.tif 000010
【図９】
2019080603.tif 000011
【図１０】
2019080603.tif 000012
【図１１】
2019080603.tif 000013
【図１２】
2019080603.tif 000014
【図１３】
2019080603.tif 000015
【図１４】
2019080603.tif 000016
【図１５】
2019080603.tif 000017
【図１６】
2019080603.tif 000018
【図１７】
2019080603.tif 000019
【図１８】
2019080603.tif 000020
【図１９】
2019080603.tif 000021
【図２０】
2019080603.tif 000022